(57)【特許請求の範囲】
【請求項１】
出射光束が立体角を有するレーザ光源と、
少なくとも長軸方向にレーザ光を収束させ平行光化する光学素子と、
前記平行光化された後の光が入射されるとともに被照明領域に均一な光を導くフライアイレンズとを備え、
前記レーザ光源は、前記立体角の大きな長軸方向と前記立体角の小さな短軸方向を有し、
前記フライアイレンズは、列方向または行方向に並ぶレンズセル群において前記長軸方向に互いに変位しており、且つ、前記変位の段数が２段以上となっている、
ことを特徴とする照明装置。
【請求項２】
請求項１において、
前記光学素子は、少なくとも一つのシリンドリカルレンズを備える、
ことを特徴とする照明装置。
【請求項３】
請求項１ないし２の何れか一項に記載の照明装置と、
前記被照明領域に配置される光変調素子とを有する、
ことを特徴とする投写型映像表示装置。
【発明の詳細な説明】
【技術分野】
【０００１】
本発明は、照明装置、それを搭載した投写型映像表示装置および前記照明装置に用いるフライアイレンズに関し、特に、レーザ光源を発光源とする場合に用いて好適なものである。
【背景技術】
【０００２】
近年、半導体レーザ等の固体光源を用いた投写型映像表示装置（以下、「プロジェクタ」という）の開発が進められている。レーザ光源は、広い色空間を高輝度かつ高精細に表現する能力に優れており、次世代プロジェクタの発光源として注目されている。
【０００３】
通常、出射光束の立体角が大きいレーザ光源を発光源とする場合には、出射光束を平行光化する必要がある。ところが、レンズや回折格子等を用いて平行光化を行うと、たとえば図１０（ｂ）に示す如く、光強度に偏りが生じる。このため、光の重畳手段としてフライアイレンズを用いると、光変調素子（液晶パネル等）に対する照度ムラが生じ、これにより、投写画像にムラが生じてしまう。
【０００４】
なお、図１０（ｂ）は、同図（ａ）に示す如くレーザ光源からの出射光束をシリンドリカルレンズによってＹ軸方向に収束させ平行光化したときの光強度分布を、光学シミュレーションソフトを用いて求め、これを模式的に図示したものである。図中、白色に近いほど光強度が高くなっている。この場合、Ｙ軸方向に光強度の偏りが生じている。
【０００５】
なお、特許文献１には、レンズセルが千鳥格子状に配列されたマルチレンズアレイおよびこれを用いるプロジェクタが開示されている。
【特許文献１】特開平９−９０５１０号公報
【発明の開示】
【発明が解決しようとする課題】
【０００６】
本発明は、光変調素子に対する照度ムラを円滑かつ効果的に抑制できるようにすることを課題とする。
【課題を解決するための手段】
【０００７】
本発明に係る照明装置は、出射光束が立体角を有する光源と、前記光源からの光を少なくとも一方向において収束させ平行光化する光学素子と、前記平行光化された後の光が入射されるとともに被照明領域に均一な光を導くフライアイレンズとを備え、前記フライアイレンズは、列方向または行方向に並ぶレンズセル群が他のレンズセル群に対し前記列方向または行方向に変位しており、且つ、前記変位の段数が２段以上となっていることを特徴とする。
【０００８】
ここで、前記光源は、レーザ光源を備える構成とすることができる。この場合、光学素子は、少なくともビーム径の長軸方向にレーザ光を収束させ平行光化するよう構成することができ、また、フライアイレンズのレンズセル群は、前記長軸方向に互いに変位するよう構成することができる。
【０００９】
また、前記光学素子は、少なくとも一つのシリンドリカルレンズを備えるよう構成することができる。このシリンドリカルレンズにて、ビーム径の長軸方向においてレーザ光を平行光化する場合には、さらにこれに加えて、短軸方向においてレーザ光を平行光化させるシリンドリカルレンズを配する構成とすることができる。また、収束方向が互いに直交するよう配置された２つのシリンドリカルレンズとコリメートレンズを組み合わせて、長軸方向と短軸方向におけるレーザ光の平行光化とビーム成形作用を同時に実現するよう構成することもできる。
【００１０】
なお、レーザ光源からフライアイレンズまでの距離がとれない場合は、薄型化が可能なフレネルレンズ形状のシリンドリカルレンズを使用する構成でも良い。また、回折素子によるビーム成形手段を備える構成でも良い。
【００１１】
本発明に係る投写型映像表示装置は、上記構成を有する照明装置と、前記被照明領域に配置される光変調素子とを有することを特徴とする。
【００１２】
また、本発明に係るフライアイレンズは、列方向または行方向に並ぶレンズセル群が他のレンズセル群に対し前記列方向または行方向に変位しており、且つ、前記変位の段数が２段以上となっていることを特徴とする。
【発明の効果】
【００１３】
本発明によれば、被照明領域における光の照度分布を均一化することができる。よって、照度ムラに起因する投写画像のムラを抑制することができる。なお、照度ムラの抑制効果については、以下に示す実施の形態の説明において明らかにする。
【００１４】
さらに、本発明のように、レンズセル群の段数を２段以上とすると、段数が１段の場合に比べ、プレス加工の際にレンズセルの境界部分に生じるダレの量を抑制することができ、よって、ダレによる光量損失を抑制することができる。
【００１５】
本発明およびその他の構成例による効果ないし意義は、以下に示す実施の形態の説明により更に明らかとなろう。ただし、以下の実施の形態は、あくまでも、本発明を実施化する際の一つの例示であって、本発明ないし各構成要件の用語の意義は、以下の実施の形態に記載されたものに制限されるものではない。
【発明を実施するための最良の形態】
【００１６】
図１に、実施の形態に係るプロジェクタの光学系を示す。
【００１７】
図において、１１は、複数のレーザ光源がＸ−Ｙ平面上に配されたレーザアレイである。Ｘ−Ｙ平面上には、赤色波長帯のレーザ光（以下、「Ｒ光」という）を出射するレーザ光源がマトリックス状に配置されている。各レーザ光源から出射されたＲ光は、偏光方向が一方向に揃っている。また、各レーザ光源は、ビーム径の長軸がＹ軸方向に平行となるようにして配置されている。
【００１８】
レーザアレイ１１から出射されたＲ光は、それぞれ、シリンドリカルレンズ１２によってＹ軸方向に収束され平行光化された後、フライアイレンズ１３に入射される。
【００１９】
フライアイレンズ１３は、蝿の目状のレンズ群からなる第１および第２のフライアイレンズを備え、液晶パネル１６に入射する際の光量分布が均一となるよう、シリンドリカルレンズ１２側から入射される光に対しレンズ作用を付与する。すなわち、第１のフライアイレンズ上の一つのレンズセルを透過した光は、第２のフライアイレンズ上の対応するレンズセルを透過することにより、液晶パネル１６に対し、所定のアスペクト比（たとえば１６：９）の広がりをもって入射する。なお、第１および第２のフライアイレンズの構成および作用効果は、追って詳述する。
【００２０】
コンデンサレンズ１４は、フライアイレンズ１３から入射された光に集光作用を付与する。レンズ１５は、Ｒ光を平行化して液晶パネル１６に入射させる。液晶パネル１６は、赤色用の駆動信号に応じて駆動され、その駆動状態に応じてＲ光を変調する。なお、レンズ１５を透過したＲ光は、入射側偏光板（図示せず）を介して液晶パネル１６に入射される。
【００２１】
２１は、複数のレーザ光源がＹ−Ｚ平面上に配されたレーザアレイである。Ｙ−Ｚ平面上には、緑色波長帯のレーザ光（以下、「Ｇ光」という）を出射するレーザ光源がマトリックス状に配置されている。各レーザ光源から出射されたＧ光は、偏光方向が一方向に揃っている。各レーザ光源は、ビーム径の長軸がＹ軸方向に平行となるようにして配置されている。
【００２２】
レーザアレイ２１から出射されたＧ光は、それぞれ、シリンドリカルレンズ２２によってＹ軸方向に収束され平行光化された後、フライアイレンズ２３に入射される。
【００２３】
フライアイレンズ２３は、上記フライアイレンズ１３と同様、第１および第２のフライアイレンズを備えている。フライアイレンズ２３の機能はフライアイレンズ１３の機能と同様である。第１および第２のフライアイレンズの構成および作用効果は、追って詳述する。
【００２４】
コンデンサレンズ２４は、フライアイレンズ２３から入射された光に集光作用を付与する。レンズ２５は、Ｇ光を平行化して液晶パネル２６に入射させる。液晶パネル２６は、緑色用の駆動信号に応じて駆動され、その駆動状態に応じてＧ光を変調する。なお、レンズ２５を透過したＧ光は、入射側偏光板（図示せず）を介して液晶パネル２６に入射される。
【００２５】
３１は、複数のレーザ光源がＸ−Ｙ平面上に配されたレーザアレイである。Ｘ−Ｙ平面上には、青色波長帯のレーザ光（以下、「Ｂ光」という）を出射するレーザ光源がマトリックス状に配置されている。各レーザ光源から出射されたＢ光は、偏光方向が一方向に揃っている。各レーザ光源は、ビーム径の長軸がＹ軸方向に平行となるようにして配置されている。
【００２６】
レーザアレイ３１から出射されたＢ光は、それぞれ、シリンドリカルレンズ３２によってＹ軸方向に収束され平行光化された後、フライアイレンズ３３に入射される。
【００２７】
フライアイレンズ３３は、上記フライアイレンズ１３、２３と同様、第１および第２のフライアイレンズを備えている。フライアイレンズ３３の機能はフライアイレンズ１３、２３の機能と同様である。第１および第２のフライアイレンズの構成および作用効果は、追って詳述する。
【００２８】
コンデンサレンズ３４は、フライアイレンズ３３から入射された光に集光作用を付与する。レンズ３５は、Ｂ光を平行化して液晶パネル３６に入射させる。液晶パネル３６は、青色用の駆動信号に応じて駆動され、その駆動状態に応じてＢ光を変調する。なお、レンズ３５を透過したＢ光は、入射側偏光板（図示せず）を介して液晶パネル３６に入射される。
【００２９】
ダイクロイックプリズム４０は、液晶パネル１６、２６、３６によって変調され、出射側偏光板（図示せず）を介したＲ光、Ｇ光およびＢ光を合成し、投写レンズ５０へと入射させる。投写レンズ５０は、投写光を被投写面上に結像させるためのレンズ群と、これらレンズ群の一部を光軸方向に変位させて投写画像のズーム状態およびフォーカス状態を調整するためのアクチュエータを備えている。
【００３０】
図２（ａ）は、フライアイレンズ１３を構成する第１および第２のフライアイレンズの構成を示す図である。なお、フライアイレンズ２３、３３を構成する第１および第２のフライアイレンズも図２（ａ）と同様にして構成される。
【００３１】
図示の如く、第１および第２のフライアイレンズは、Ｙ軸方向に段差が生じるよう形成されている。すなわち、Ｙ軸方向に並ぶ一列分のレンズセル群は、隣り合うセル群に対し、Ｙ軸方向に距離ｄだけ配置位置が変位している。ここで、距離ｄは、段差数をｓ、Ｙ軸方向におけるレンズセルの幅をＰとすると、次式に従って設定されている。
ｄ＝Ｐ／（ｓ＋１）  …  （１）
【００３２】
図２（ａ）の構成例では、段差数ｓが、ｓ＝２となっている。したがって、隣り合うセル群間の変位距離ｄは、ｄ＝Ｐ／３となる。
【００３３】
ここで、段差数ｓは、ｓ≧２となるよう設定される。これは、以下の検証にて示すとおり、段差数が２以上の場合に、液晶パネル１６に対する照度ムラが円滑に抑制されるためである。
【００３４】
図３は、検証（シミュレーション）に用いた光学系を示す図である。図示の如く、本検証では、一つのレーザ光源と一つのシリンドリカルレンズが用いられている。レーザ光源は、図１の場合と同様、ビーム径の長軸がＹ軸方向に平行となるよう配置されている。シリンドリカルレンズは、レーザ光源から出射されたレーザ光をＹ軸方向に収束させ平行化する。フライアイレンズ以降の構成は、図１の場合と同様である。
【００３５】
図４は、本検証におけるフライアイレンズの構成とレーザ光の入射状態を示す図である。図示の如く、本検証では、Ｙ軸方向およびＸ軸方向における一つのレンズセルの幅が、それぞれ２．８０ｍｍ、３．６４ｍｍに設定されている。また、各レンズセルは曲率半径Ｒが、Ｒ＝１５ｍｍに設定されている。さらに、フライアイレンズに対する一つのレーザ光源の入射領域は、同図（ａ）の状態において、縦５個×横４個のレンズセルに掛かるよう設定されており、入射領域は、縦１２ｍｍ×横１２ｍｍの矩形領域となっている。
【００３６】
本検証では、同図（ａ）の状態（段差数ｓ＝０）から、各列のセル群の段差数ｓを１、２、…と増加させて行き、各段差数において、液晶パネル上におけるレーザ光の照度ムラをシミュレーションにより求めた。ここで、隣り合うセル群間の変位距離ｄは、図２（ａ）と同様、上記（１）式に従って設定した。
【００３７】
図５に検証結果（シミュレーション）を示す。同図（ａ）〜（ｃ）は、それぞれ、レーザ光源から出射されるレーザ光の波長帯を赤色波長帯、緑色波長帯、青色波長帯としたときのシミュレーション結果である。また、各検証結果における縦軸は、液晶パネル上の平均照度をＸ軸方向のライン毎に求め、求めた平均照度の最大値と最小値の差を、段差数０のときの差を１として正規化したものである。
【００３８】
検証結果から分かるとおり、段差数ｓがｓ＝１のときには、照度ムラ（ムラの変位量）は余り改善されない。これに対し、段差数ｓがｓ＝２となると、照度ムラは大幅に改善され、その後、段差数ｓを増加させても、照度ムラは、略横ばい状態である。また、照度ムラの改善効果は、各波長帯において略同様の傾向が示されている。したがって、図１の構成例では、フライアイレンズ１３、２３、３３を構成する第１および第２のフライアイレンズの段差数ｓをｓ≧２に設定することにより、液晶パネル１６、２６、３６に対するＲ光、Ｇ光、Ｂ光の照度ムラを円滑に抑制することができる。
【００３９】
なお、本検証では、上述のムラの変位量により照度ムラを測定するようにしたが、照度の平均偏差（平均偏差＝液晶パネル上における照度の標準偏差／液晶パネル上における全領域の平均照度）によって照度ムラを測定しても、図５と同様の傾向が示された。
【００４０】
図６（ａ）および（ｂ）は、それぞれ、上記検証例において、フライアイレンズにおけるレンズセル群の段差数ｓをｓ＝０およびｓ＝４としたときの液晶パネル上における照度ムラを光学シミュレーションソフトにより求め、これを模式的に示したものである。同図では、白い近いほど、照度が高くなっている。
【００４１】
同図（ａ）（ｂ）を比較して分かるとおり、ｓ＝０ではＸ軸方向に照度の高い帯状領域または照度の低い帯状領域が見られるが、ｓ＝４とすると、この帯状領域が解消されている。また、ｓ＝４とすると、照度の高い領域がやや分散するものの、全体的には照度が均一化されている。このように、段差数ｓをｓ＝４とすると、ｓ＝０の場合に比べ、照度ムラが大幅に改善されていることが分かる。したがって、段差数ｓをｓ＝４とすると、液晶パネルに対し略一様な照度にてレーザ光を照射することができる。この効果は、図５の検証結果から分かるとおり、段差数ｓをｓ≧２とすることにより同様に奏される。また、Ｒ光、Ｇ光、Ｂ光の何れにおいても同様に、照度ムラの抑制を実現できる。
【００４２】
なお、上記には、一つのレーザ光源を用いる場合の検証例を示したが、複数のレーザ光源を用いる場合にも同様の効果が奏されることが発明者によって確認されている。たとえば、図７は、９個のレーザ光源をマトリクス状に配置する場合の検証例を示している。レンズセルの幅と曲率半径は上記検証と同じである。各レーザ光源から出射されたレーザ光は、上記検証例と同様、それぞれ、個別に配されたシリンドリカルレンズによってＹ軸方向に収束され平行光化される。９個のレーザ光源からの光は全体として縦３６ｍｍ×横３６ｍｍの領域において、フライアイレンズに入射されている。なお、同図では、縦３６ｍｍ×横３６ｍｍの領域が９個のエリアに分割されているが、これら各分割領域は、それぞれ、各レーザ光源からの光が入射される領域である。
【００４３】
この検証例において、９個のレーザ光源を順次点灯させながら、液晶パネル上の照度状態を測定すると、波長帯毎に、図５と同様の傾向の検証結果が得られた。よって、９個のレーザ光源を同時発光させる場合にも、図６（ｂ）に模式的に示す如く、略均一な照度にて各波長帯のレーザ光を液晶パネルに照射することができる。したがって、図１の光学系のように、複数のレーザ光源をマトリクス状に配置してレーザアレイ１１、２１、３１を構成する場合にも、フライアイレンズの段差数ｓをｓ≧２に設定することにより、液晶パネル１６、２６、３６に対するＲ光、Ｇ光、Ｂ光の照度ムラを抑制することができる。
【００４４】
以上、本実施の形態によれば、液晶パネル１６、２６、３６に対するＲ光、Ｇ光、Ｂ光の照度ムラを抑制することができ、当該照度ムラに起因する投写画像のムラを抑制することができる。また、かかる照度ムラの抑制を、部品点数およびコストの上昇なく、かつ、制御処理を変更することなく、フライアイレンズ上の簡易な構成の変更により、効果的に実現することができる。
【００４５】
なお、本実施の形態に係るフライアイレンズは、従来のフライアイレンズに比べ、レンズセルの配置に段差が設けられている点のみが相違し、その他の機能は従来のフライアイレンズと同様であるため、光学系に配置する場合には、従来のフライレンズと単に置き換えるのみで良い。つまり、２枚のフライアイレンズの間隔等は、従来のままで良い。
【００４６】
ところで、図１０（ｂ）に示す光強度ムラは、光源とフライアイレンズの距離が大きくなるに従って顕著となる。よって、本実施の形態は、光源とフライアイレンズの距離が大きいほど効果を発揮するものとなる。たとえば、上記検証例の構成では、レーザ光源からフライアイレンズまでの距離が１０ｍｍ以上の場合に、照明ムラの抑制効果がより顕著に発揮される。
【００４７】
なお、上記実施の形態では、図１に示すように、レーザ光をＹ軸方向に収束させ平行光化する場合を例示したが、レーザ光をＸ軸方向に収束させ平行光化する場合には、図２（ｂ）に示すように、レンズセル群をＸ軸方向に変位させることにより、液晶パネル上における照度ムラを抑制することができる。この場合も、レンズセル群の段差数ｓをｓ≧２に設定することにより、照度ムラを円滑かつ効果的に抑制することができる。
【００４８】
また、２つのシリンドリカルレンズを適宜組み合わせることにより、レーザ光をＹ軸方向とＸ軸方向の両方に収束させ、これら両方向においてレーザ光を平行光化するよう構成することもできる。この場合、図１０（ｂ）に示す光強度ムラは、収束作用がより大きい方の方向、すなわち、ビーム有効径の長軸方向においてより顕著に生じる。よって、この場合には、より大きい方の強度ムラを抑制するのが望ましく、したがって、フライアイレンズの段差方向は、ビーム有効径の長軸方向に設定するのが好ましい。
【００４９】
なお、２つのシリンドリカルレンズとコリメートレンズを適宜組み合わせることにより、レーザ光をＹ軸方向とＸ軸方向の両方に平行光化するようにしても良い。
【００５０】
ところで、上記実施の形態では、図１に示す如く、Ｒ光、Ｇ光、Ｂ光毎に個別に光源から液晶パネルまでの光学系を配置したが、たとえば、図８に示す如く、レーザアレイ６１からコンデンサレンズ６４までの光学系を共通化し、その後、ダイクロイックミラー６５、６７によりＲ光、Ｇ光、Ｂ光を分離するようにしても良い。
【００５１】
図８の構成例では、Ｒ光、Ｇ光、Ｂ光を出射する複数のレーザ光源がＹ−Ｚ平面上にマトリクス状に配されることにより、レーザアレイ６１が構成されている。レーザアレイ１１から出射されたＲ光、Ｇ光、Ｂ光は、それぞれ、シリンドリカルレンズ６２によってＹ軸方向に収束され平行光化された後、フライアイレンズ６３に入射される。フライアイレンズ６３は、たとえば図２（ａ）に示すように、隣り合うレンズセル群がＹ軸方向に変位するよう構成されている。ここで、段差数ｓはｓ≧２に設定される。
【００５２】
フライアイレンズ６３を透過した各波長帯のレーザ光は、コンデンサレンズ６４によって集光される。かかるレーザ光のうち、Ｒ光は、ダイクロイックミラー６５によって反射され分離される。その後、Ｒ光は、ミラー６６によって反射されレンズ１５に入射される。その後の光路は、図１の場合と同様である。
【００５３】
ダイクロイックミラー６５を透過したＧ光、Ｂ光のうち、Ｇ光は、ダイクロイックミラー６７によって反射され、レンズ２５に入射される。その後の光路は、図１の場合と同様である。
【００５４】
ダイクロイックミラー６７を透過したＢ光は、リレーレンズ６８、７０とミラー６９、７１からなる光路を進み、レンズ３５に入射される。その後の光路は、図１の場合と同様である。
【００５５】
また、上記実施の形態では、レーザ光源をマトリクス状に配置するようにして光源部を構成したが、たとえば、図９に示す如く、複数のレーザ光源と複数のミラーを組み合わせて光源部を構成するようにすることもできる。図９の構成例では、４つの半導体レーザ８１〜８４と４つのミラー８５〜８８から光源部が構成されている。ここで、半導体レーザ８１、８２は光軸が互いに一致し、また、半導体レーザ８３、８４は光軸が互いに一致している。
【００５６】
半導体レーザ８１、８２から出射されるレーザ光は、それぞれ、ミラー８５、８６によってＺ軸方向に反射され、また、半導体レーザ８３、８４から出射されるレーザ光は、それぞれ、ミラー８７、８８によってＺ軸方向に反射される。半導体レーザ８１、８２とミラー８５、８６からなるユニットは、半導体レーザ８３、８４とミラー８７、８８からなるユニットに対し、配置位置がＹ軸方向にシフトしている。
【００５７】
なお、図９には、４つの半導体レーザからの光をミラーで合成して照明光とする構成例を示したが、半導体レーザとミラーの個数はこれに限るものではなく、たとえば図９に示すように、９つのレーザ光をフライアイレンズに導く場合には、９つの半導体レーザを準備して、各半導体レーザから出射されるレーザ光をミラーにて合成するようにしても良い。ただし、このようにミラーにてレーザ光を合成する場合には、各半導体レーザからの光が照明光の光軸中心に接近するよう半導体レーザとミラーを配置し、極力、Etendue値が小さくなるよう調整する必要がある。
【００５８】
この他、光学系の構成をＬＣｏＳ方式に変更することも可能である。ＬＣｏＳ方式では、光変調素子として反射型の液晶パネルが用いられる。具体的には、液晶の表層に光を偏光させる反射層を設け、この反射層の状態を電気的に制御することにより液晶パネル上に映像が表現される。この方式においても、上記フライアイレンズを用いることにより、液晶パネルに対する照明ムラが抑制される。よって、照度ムラに起因する投写画像のムラを抑制することができる。
【００５９】
なお、上記実施の形態では、照度ムラを抑制するとの観点から、レンズセル群の段差数ｓをｓ≧２に設定するのが適正であるとしたが、レンズ加工の観点からも、段差数は、１段よりも２段以上とするのが望ましいと言える。すなわち、段差数が１段の場合、レンズセルの間隔（上記変位距離ｄ）が大きいため、プレス加工の際に、レンズセルの境界部分にダレが生じ、このダレによる光量損失が比較的大きなものとなってしまう。これに対し、段差数を２段以上とすると、レンズセルの間隔（変位距離ｄ）が小さくなるため、それに伴いダレの量が抑制され、ダレによる光量損失も抑制される。
【００６０】
なお、レンズセル群は必ずしも規則的に変位する必要はない。すなわち、図２（ａ）では、左端のレンズセルから右方向に向かうにつれ１段ずつ下方向にレンズセル群が変位し、左から４つ目のレンズセル群から再度同様に１段ずつ下方向にレンズセル群が変位しているが、たとえば、左から４つ目のレンズセル群までは図２（ａ）と同様とし、左から５つ目のレンズセル群を２段下方向に変位させ、左から６つ目のレンズセル群は１段下方向に変位させる等、レンズセル群の変位状態をランダムなものとすることもできる。この場合にも、上記と同様の効果が期待される。
【００６１】
以上、本発明の実施形態について説明したが、本発明は上記実施の形態に制限されるものではない。また、本発明の実施形態も、上記以外に種々の変更が可能である。本発明の実施の形態は、特許請求の範囲に示された技術的思想の範囲内において、適宜変更可能である。
【図面の簡単な説明】
【００６２】
【図１】実施の形態に係るプロジェクタの光学系を示す図
【図２】実施の形態に係るフライアイレンズの構成を示す図
【図３】実施の形態の検証例に係る光学系を示す図
【図４】実施の形態の検証例に係るフライアイレンズの構成を示す図
【図５】実施の形態の検証例に係る検証結果を示す図
【図６】実施の形態の検証例に係る検証結果を模式的に示す図
【図７】実施の形態の他の検証例に係るフライアイレンズの構成を示す図
【図８】実施の形態に係るプロジェクタの光学系の変更例を示す図
【図９】実施の形態に係る光源部の変更例を示す図
【図１０】レーザ光をシリンドリカルレンズによって平行光化したときの光強度分布を説明する図
【符号の説明】
【００６３】
１１、２１、３１  …  レーザアレイ
１２、２２、３２  …  シリンドリカルレンズ
１３、２３、３３  …  フライアイレンズ
１６、２６、３６  …  液晶パネル
６１  …  レーザアレイ
６２  …  シリンドリカルレンズ
６３  …  フライアイレンズ
８１、８２、８３、８４  …  半導体レーザ
８５、８６、８７、８８  …  ミラー
【図１】
0005028173.tif 000002
【図２】
0005028173.tif 000003
【図３】
0005028173.tif 000004
【図４】
0005028173.tif 000005
【図５】
0005028173.tif 000006
【図６】
0005028173.tif 000007
【図７】
0005028173.tif 000008
【図８】
0005028173.tif 000009
【図９】
0005028173.tif 000010
【図１０】
0005028173.tif 000011